(57)【特許請求の範囲】
【請求項１】
並列ポートに接続される周辺機器を判別する周辺機器接続判別手段と、
この周辺機器接続判別手段の指示に従って電源供給が必要な場合には前記並列ポートを介して周辺機器へ電源供給する電源供給手段と、
を備え，
前記周辺機器接続判別手段は、前記並列ポートの少なくとも２つのピンの状態を感知して前記周辺機器を判別し、これらピンとは別のピンから前記電源供給手段が電源供給を行い，
前記周辺機器接続判別手段は、第１のピンに接続すると共に第２のピンの状態に従ってオンオフする判別スイッチをもち、該判別スイッチがオンしたときに前記第１のピンの状態を判別信号として伝送することを特徴とする，コンピュータシステム。
【請求項２】
前記周辺機器接続判別手段は、前記判別スイッチに対し相補的にオンオフして前記第１のピンを接地させる接地スイッチをもつ請求項１記載のコンピュータシステム。
【請求項３】
前記周辺機器接続判別手段は、前記第２のピンの状態に従ってオンオフし、前記電源供給手段が電源供給を行う第３のピンを接地させる接地スイッチをもつ請求項１又は請求項２記載のコンピュータシステム。
【請求項４】
前記電源供給手段は、前記周辺機器接続判別手段の前記判別スイッチがオンしたときに伝送される前記判別信号に従ってオンオフし、第３のピンへ電源供給を行う電源供給スイッチをもつ請求項１〜３のいずれか１項に記載のコンピュータシステム。
【請求項５】
前記電源供給手段は、前記電源供給スイッチを経る電源供給経路にヒューズをもつ請求項４記載のコンピュータシステム。
【請求項６】
前記第１のピンが前記第２のピンよりも短くしてある請求項５記載のコンピュータシステム。
【請求項７】
前記第２のピンは、前記周辺機器接続判別手段内で並列に接続する２以上のピンとされる請求項１〜６のいずれか１項に記載のコンピュータシステム。
【請求項８】
拡張用並列ポートに接続される周辺機器を判別する周辺機器接続判別手段と、この周辺機器接続判別手段の指示に従って電源供給が必要な場合には前記拡張用並列ポートを介して周辺機器へ電源供給する電源供給手段と、
を備え，
前記周辺機器接続判別手段は、前記並列ポートの少なくとも２つのピンの状態を感知して前記周辺機器を判別し、これらピンとは別のピンから前記電源供給手段が電源供給を行い，
前記周辺機器接続判別手段は、第１のピンに接続すると共に第２のピンの状態に従ってオンオフする判別スイッチをもち、該判別スイッチがオンしたときに前記第１のピンの状態を判別信号として伝送することを特徴とするコンピュータシステムの拡張装置。
【請求項９】
前記周辺機器接続判別手段は、前記判別スイッチに対し相補的にオンオフして前記第１のピンを接地させる接地スイッチをもつ請求項８記載のコンピュータシステムの拡張装置。
【請求項１０】
前記周辺機器接続判別手段は、前記第２のピンの状態に従ってオンオフし、前記電源供給手段が電源供給を行う第３のピンを接地させる接地スイッチをもつ請求項８又は請求項９記載のコンピュータシステムの拡張装置。
【請求項１１】
前記電源供給手段は、前記周辺機器接続判別手段の前記判別スイッチがオンしたときに伝送される前記判別信号に従ってオンオフし、第３のピンへ電源供給を行う電源供給スイッチをもつ請求項８〜１０のいずれか１項に記載のコンピュータシステムの拡張装置。
【請求項１２】
前記電源供給手段は、前記電源供給スイッチを経る電源供給経路にヒューズをもつ請求項１１記載のコンピュータシステムの拡張装置。
【請求項１３】
前記第１のピンが前記第２のピンよりも短くしてある請求項１２記載のコンピュータシステムの拡張装置。
【請求項１４】
前記第２のピンは、前記周辺機器接続判別手段内で並列に接続する２以上のピンとされる請求項８〜１３のいずれか１項に記載のコンピュータシステムの拡張装置。
【発明の詳細な説明】
【０００１】
【発明の属する技術分野】
本発明は、ノートブックやラップトップ形などの携帯用コンピュータシステムと、ポートリプリケータ(port replicator) やドッキングステーション(docking station) などの機能拡張用の拡張装置に関する。
【０００２】
【従来の技術】
ノートブックやラップトップ形に代表される携帯用コンピュータシステムは、携帯用に本体重量を軽くする必要があるので、最小限必要な機能だけを本体内に内蔵してあり、必要に応じて周辺機器を後付けして使用するようにしている。このような後から外付けする周辺機器としては、ＣＤ−ＲＯＭドライブ、ＦＤＤ(Floppy Disk Drive) 、ハードディスクドライブ、プリンタなどがある。
【０００３】
図１は、一例として、ＣＤ−ＲＯＭドライブ及びＦＤＤを選択的にインターフェースコネクタ(interface connetor)に接続して使えるようにした携帯用コンピュータの斜視図である。コンピュータ本体１の前面左側にインターフェースコネクタ２が備えられ、ＣＤ−ＲＯＭドライブ３又はＦＤＤ４を選択的に接続することが可能にしてある。
【０００４】
図２には、携帯用コンピュータシステムの構成をブロック図で示している。図示のように、コンピュータシステムを制御する中央処理装置１０と、記憶装置であるＲＯＭ２０及びＲＡＭ３０と、液晶ディスプレイなどの表示装置４０を制御する表示制御装置５０と、周辺機器とのデータ入出力を行うための入出力制御装置６０と、がバスＢＵＳを介して相互に接続されている。そして、入出力制御装置６０には、周辺機器を接続するための並列ポート７０、補助記憶装置８０及びキーボード９０がつながれている。
【０００５】
並列ポート７０は、コンピュータシステムと周辺機器との間でデータを伝送するために使用される１つの接続手段で、主にプリンタやネットワークカードなどを接続して使用するものであり、ＣＤ−ＲＯＭドライブ３やＦＤＤ４も場合によっては接続可能である。そして、並列ポート７０は入出力制御装置６０に直接接続してあり、並列ポート７０に周辺機器が接続されれば、入出力制御装置６０が並列ポート７０に設けてあるピンの状態により並列ポート７０にどの種類の周辺機器が接続されたるかを認識し、対応した動作を遂行する。
【０００６】
このような構成を有する携帯用コンピュータシステムは、本体１にインターフェースコネクタ２が１つだけなので、ＣＤ−ＲＯＭドライブ３とＦＤＤ４を両方とも接続する場合には、どちらか一方を並列ポート７０にケーブルで接続することになる。例えば図３ａに示したように、インターフェースコネクタ２にはＣＤ−ＲＯＭドライブ３を接続し、ＦＤＤ４は、図３ｂに詳細を示すように本体１の後面５に臨ませた並列ポート７０にケーブル６で接続して使用する。
【０００７】
この場合に、ＦＤＤ４は独自の電源手段を内蔵していないので、並列ポート７０にＦＤＤ４を接続して使用するには、コンピュータシステムから電源を供給しなければならない。しかし、並列ポート７０には電源供給用のピンが備えられていないため、別途の手段で電源を供給する必要がある。そこで例えば、図３ｂに示したように、ＦＤＤ４と並列ポート７０とを接続するケーブル６に電源供給線７を一体形成してＹ形ケーブルとし、該電源供給ライン７の端部にコネクタを設けて、キーボード９０を接続するディンジャック(din jack)９にキーボード９０のジャックと共に接続してＦＤＤ４へも電源を供給するようにしている。
【０００８】
これはＦＤＤ４に限らずコンピュータシステムから電源供給が必要な他の周辺機器、例えばＣＤ−ＲＯＭドライブ３やハードディスクドライブなどを並列ポート７０に接続する場合にも同様で、電源供給ライン７を備えたケーブル６を使用して並列ポート７０とディンジャック９とに接続して使用する。
【０００９】
また、前述のように携帯用コンピュータシステムでは携帯性をよくするために機能を制限してあるので、内蔵してない機能を拡張する場合には、ドッキングステーションやポートリプリケータなどの拡張装置を使用する必要がある。図４は、その拡張装置１００を使用するときの状態を示した斜視図である。
【００１０】
拡張装置１００にはドッキングポート１１０が備えられており、本体１に設けられたコネクタを接続する。この拡張装置１００を装着する場合、本体１に備えられている並列ポート７０は隠されてしまうので、使用することができなくなる。つまり、拡張装置１００に備えられている拡張用並列ポートに周辺機器を接続して使用することになる。
【００１１】
【発明が解決しようとする課題】
上記のような従来技術によると、コンピュータシステムからの電源供給が必要な周辺機器と並列ポート７０とを接続するケーブル６には、電源供給ライン７を一体形成したＹ形ケーブルを使用しなければならないが、別途に電源供給のためのコネクタを備えたケーブルは複雑で作り難く、コスト的に不利である。また、並列ポート７０への接続、解除を行う場合はディンジャック９の方も同時に操作しなければならないが、キーボード９０を接続するディンジャック９は電源オンのまま操作すると故障の原因となるため、普通は電源オン中に操作しないよう注意してある。従って、並列ポート７０に接続する周辺機器も、必ずコンピュータシステムの電源をオフにしてから操作しなければならないことになっており、これが以外と不便である。
【００１２】
また、拡張装置１００に備えられている拡張用並列ポートでも電源供給ピンがないのは同じなので、本体１での場合と同様に、電源供給ライン７を一体形成したＹ形ケーブルを使用し、電源供給ライン７をキーボード９０を接続する拡張装置１００のディンジャックにコネクタで接続しなればならない。
【００１３】
【課題を解決するための手段】
上記のような課題に着目して本発明では、並列ポートのみで電源供給もまかなえるようにするものである。
【００１４】
即ち本発明によれば、並列ポートに接続される周辺機器を判別する周辺機器接続判別手段と、この周辺機器接続判別手段の指示に従って電源供給が必要な場合には前記並列ポートを介して周辺機器へ電源供給する電源供給手段と、をコンピュータシステムに備え，上記周辺機器接続判別手段は、上記並列ポートの少なくとも２つのピンの状態を感知して上記周辺機器を判別し、これらピンとは別のピンから上記電源供給手段が電源供給を行い，上記周辺機器接続判別手段は、第１のピンに接続すると共に第２のピンの状態に従ってオンオフする判別スイッチをもち、該判別スイッチがオンしたときに上記第１のピンの状態を判別信号として伝送することを特徴とする。
【００１５】
また，周辺機器接続判別手段は、その判別スイッチに対し相補的にオンオフして第１のピンを接地させる接地スイッチをもつようにしておくとよい。加えて周辺機器接続判別手段は、第２のピンの状態に従ってオンオフし、電源供給手段が電源供給を行う第３のピンを接地させる接地スイッチをもつようにすると好ましい。
【００１６】
電源供給手段は、周辺機器接続判別手段の判別スイッチがオンしたときに伝送される判別信号に従ってオンオフし、第３のピンへ電源供給を行う電源供給スイッチをもつものとすることができる。そして更に電源供給手段は、電源供給スイッチを経る電源供給経路にヒューズをもつようにするとよい。この場合、第１のピンを第２のピンよりも短くしておくと好ましい。また、第２のピンは、周辺機器接続判別手段内で並列に接続する２以上のピンとすることも可能である。
【００１７】
また本発明によれば、拡張用並列ポートに接続される周辺機器を判別する周辺機器接続判別手段（拡張用）と、この周辺機器接続判別手段の指示に従って電源供給が必要な場合には前記拡張用並列ポートを介して周辺機器へ電源供給する電源供給手段（拡張用）と、をコンピュータシステムの拡張装置に備えることを特徴とする。この拡張装置における周辺機器接続判別手段及び電源供給手段も、上記のようなコンピュータシステム内の周辺機器接続判別手段及び電源供給手段と同様の構成とすることができる。
【００１８】
【発明の実施の形態】
図５〜図１０を参照して本発明の実施の形態を説明する。
【００１９】
図５に示すのは、並列ポート７０を利用して周辺機器の電源供給を可能とした本例のコンピュータシステムの要部構成を示したブロック図である。
【００２０】
コンピュータシステムのバスに接続された入出力制御装置６０とデータ＆コントロールバスでつながれる２５ピンの並列ポート７０が本体１に設けられている。また、本体１には周辺機器接続判別手段２００が設けられ、この例では、並列ポート７０の第１のピンとして１９番ピンＰ１９及び第２のピンとして２４番ピンＰ２４に接続されている。第１のピンＰ１９は、電源供給の必要な周辺機器が接続される場合に接地となり、第２のピンＰ２４は、電源供給の不要な周辺機器が接続される場合に接地となる。従って、これらピンＰ１９，Ｐ２４の信号によって周辺機器接続判別手段２００は、電源供給が必要かどうか、或いは、周辺機器が接続されているかどうか判別することができる。
【００２１】
並列ポート７０に電源供給の必要な周辺機器が接続されたことを周辺機器接続判別手段２００が判別した場合、その指示を受けて電源供給手段２１０が、並列ポート７０の第３のピン、この例では２０番ピンＰ２０を介して周辺機器へ電源供給する。
【００２２】
図６には、拡張用並列ポート１２０を利用して周辺機器の電源供給を可能とした拡張装置１００の要部構成についてブロック図で示す。
【００２３】
拡張用並列ポート１２０は本体１の入出力制御装置６０とつながれ、周辺機器を接続する。そして、拡張装置１００内には、拡張用並列ポート１２０の第１のピンとして例えば１９番ピンＰ１９及び第２のピンとして例えば２４番ピンＰ２４に接続され、周辺機器の判別を行う拡張用周辺機器接続判別手段３００が設けられている。並列ポート７０と同様に拡張用並列ポート１２０でも、第１のピンＰ１９は電源供給の必要な周辺機器が接続される場合に接地となり、第２のピンＰ２４は電源供給の不要な周辺機器が接続される場合に接地となる。
【００２４】
拡張用並列ポート１２０に電源供給の必要な周辺機器が接続されたことを拡張用周辺機器接続判別手段３００が判別した場合、その指示を受けて拡張用電源供給手段３１０が、拡張用並列ポート１２０の第３のピンとして例えば２０番ピンＰ２０を介し、周辺機器へ電源供給する。
【００２５】
拡張装置１００の拡張用並列ポート１２０、拡張用周辺機器接続判別手段３００及び拡張用電源供給手段３１０と入出力制御装置６０とは、ドッキングポート１１０を介して接続される。また、並列ポート７０や拡張用並列ポート１２０に周辺機器を接続する場合、通常は１８番ピンから２５番ピンまでは未使用で、予備としてある。周辺機器のうちプリンタは、一般的に並列ポートの１８番ピンから２５番ピンまでを全部接地にするようにしているが、１８番ピンから２５番ピンの中のいずれか１つを接地せずにおくこともできる。また、ＣＤ−ＲＯＭドライブ３やＦＤＤ４ではメーカーごとに少しずつ違ってはいるが、１８番ピンから２５番ピンまでを全部使用することはまずない。
【００２６】
本例によれば、図７Ａに示したように本体１の後面に備えられている並列ポート７０、或いは、拡張装置１００に備えられている拡張用並列ポート１２０に、例えばＣＤ−ＲＯＭドライブ３やＦＤＤ４の電源供給を要する周辺機器を接続する場合、図７Ｂに示したようにケーブル６を介して接続する。即ち、ディンジャック９を操作する必要はない。電源供給の必要な周辺機器の場合、第１のピンＰ１９が接地されるようにしてあれば第３のピンＰ２０を介して電源が供給されることになり、一方、プリンタなどの電源供給の不要な周辺機器の場合には、第２のピンＰ２４が接地されるようにしてあれば電源供給は行われない。
【００２７】
図８は、本体１の周辺機器接続判別手段２００及び電源供給手段２１０の具体例、図９は、拡張装置１００の拡張用周辺機器接続判別手段３００及び拡張用電源供給手段３１０の具体例である。
【００２８】
周辺機器接続判別手段２００，３００は、電源Ｖcc１，Ｖcc２が抵抗Ｒ１１，Ｒ２１を介して並列ポート７０，１２０の第２のピンＰ２４へ提供されるようにしてあり、また、抵抗Ｒ１１，Ｒ２１を介した電源Ｖcc１，Ｖcc２は、接地スイッチのＰＭＯＳＦＥＴ１１，１２，２１，２２のゲート及びインバータＩＮＶ１，ＩＮＶ２へも入力される。従って、ＰＭＯＳＦＥＴ１１，２１は第２のピンＰ２４が接地かどうかに従って第１のピンＰ１９を接地させ、ＰＭＯＳＦＥＴ１２，２２は第２のピンＰ２４が接地かどうかに従って第３のピンＰ２０を接地させる。インバータＩＮＶ１，ＩＮＶ２は第２のピンＰ２４の論理を反転して出力し、判別スイッチのＰＭＯＳＦＥＴ１３，２３を制御する。このＰＭＯＳＦＥＴ１３，２３から判別信号が電源供給手段２１０，３１０と入出力制御装置６０へ出力されるようにしてある。
【００２９】
電源供給手段２１０，３１０は、周辺機器接続判別手段２００，３００による判別信号で電源供給スイッチのＰＭＯＳＦＥＴ１４，２４がゲート制御されるようになっている。このＰＭＯＳＦＥＴ１４，２４のゲートには抵抗Ｒ１２，Ｒ２２を介して電源Ｖcc１，Ｖcc２が印加されるようにしてあり、従って、周辺機器接続判別手段２００，３００のＰＭＯＳＦＥＴ１３，２３がオンで第１のピンＰ１９が接地である場合にＰＭＯＳＦＥＴ１４，２４はオンとなる。このようなＰＭＯＳＦＥＴ１４，２４がヒューズＦ１，Ｆ２を介して電源Ｖcc１，Ｖcc２を受け、第３のピンＰ２０へ提供する。
【００３０】
なお、電源Ｖcc１は本体１から供給される電源電圧で、電源Ｖcc２は拡張装置１００から供給される電源電圧である。
【００３１】
以下、並列ポート７０，１２０に接続される周辺機器の種類に従って説明する。
【００３２】
▲１▼：拡張装置１００が装着されず且つ本体１の並列ポート７０に周辺機器が接続されない場合。
【００３３】
この場合、並列ポート７０の第１のピンＰ１９と第２のピンＰ２４とが両方とも開放状態にある。従って、周辺機器接続判別手段２００では、電源Ｖcc１が抵抗Ｒ１１を介してインバータＩＮＶ１及び接地トランジスタのＦＥＴ１１，１２のゲートに印加されるので、インバータＩＮＶ１はロウ出力、ＦＥＴ１１，１２はオフとなる。そして、インバータＩＮＶ１のロウ出力に従って判別トランジスタのＦＥＴ１３はオンになる。
【００３４】
このとき、第１のピンＰ１９は開放状態にあり且つＦＥＴ１１はオフなので、ＦＥＴ１３のドレーンは開放状態（フローティング）となる。従って、電源供給手段２１０では、電源Ｖcc１が抵抗Ｒ１２を介して電源供給トランジスタのＦＥＴ１４のゲートに印加される結果オフし、第３のピンＰ２０による電源Ｖcc１の供給は抑止される。また、電源Ｖcc１が抵抗Ｒ１２を介して入出力制御装置６０へも入力されるので、コンピュータシステムでも並列ポート７０に周辺機器が接続されてないことを判断できる。
【００３５】
▲２▼：拡張装置１００が装着されず且つ本体１の並列ポート７０に電源供給の必要な周辺機器が接続された場合。
【００３６】
この場合、並列ポート７０の第１のピンＰ１９が周辺機器の接続により接地となり、第２のピンＰ２４は開放状態にある。従って、周辺機器接続判別手段２００では、電源Ｖcc１が抵抗Ｒ１１を介してインバータＩＮＶ１及び接地トランジスタのＦＥＴ１１，１２のゲートに印加されるので、インバータＩＮＶ１はロウ出力、ＦＥＴ１１，１２はオフとなる。そして、インバータＩＮＶ１のロウ出力に従って判別トランジスタのＦＥＴ１３はオンになる。
【００３７】
このとき、第１のピンＰ１９は接地なのでＦＥＴ１３のドレーンが接地される。従って、電源供給手段２１０では、電源Ｖcc１が抵抗Ｒ１２からＦＥＴ１３を介して接地へ流れることになり、その結果、電源供給トランジスタのＦＥＴ１４のゲートがロウ印加になってオンする。これにより、電源Ｖcc１がヒューズＦ１からＦＥＴ１４を通って第３のピンＰ２０に出力され、周辺機器へ動作電源として供給される。また、ＦＥＴ１３の接地により入出力制御装置６０がロウ入力を受けるので、コンピュータシステムで、並列ポート７０に電源供給の必要な周辺機器が接続されたことを判断できる。
【００３８】
また、この電源供給の場合に、並列ポート７０を介して周辺機器へ過電流が流れるようなことがあると、電源供給トランジスタのＦＥＴ１４に過電流が流れて破損する可能性がある。そこで、本例では、ＦＥＴ１４のドレーン側にヒューズＦ１を設けて保護している。
【００３９】
▲３▼：拡張装置１００が装着されず且つ本体１の並列ポート７０に電源供給の不要な周辺機器が接続された場合。
【００４０】
この場合、並列ポート７０の第１のピンＰ１９が開放状態になり、第２のピンＰ２４は周辺機器の接続により接地となる。従って、周辺機器接続判別手段２００では、抵抗Ｒ１１を介した電源Ｖcc１が第２のピンＰ２４により接地へ流れることになり、インバータＩＮＶ１はハイ出力、接地トランジスタのＦＥＴ１１，１２はオンとなる。そして、インバータＩＮＶ１のハイ出力により、判別トランジスタのＦＥＴ１３はオフになる。
【００４１】
ＦＥＴ１３がオフになるため、電源供給手段２１０では電源Ｖcc１が抵抗Ｒ１２を介して電源供給トランジスタのＦＥＴ１４のゲートに印加されてオフし、従って、第３のピンＰ２０の電源供給は抑止される。また、電源Ｖcc１が抵抗Ｒ１２を介して入出力制御装置６０へも入力され、そしてＦＥＴ１１のオンで第１のピンＰ１９が接地とされるので、コンピュータシステムでも並列ポート７０の周辺機器が電源供給を要しないことを判断できる。
【００４２】
▲４▼：拡張装置１００が装着され且つ拡張用並列ポート１２０に周辺機器が接続されない場合。
【００４３】
この場合、拡張用並列ポート１２０の第１のピンＰ１９と第２のピンＰ２４とが両方とも開放状態にある。従って、拡張用周辺機器接続判別手段３００では、電源Ｖcc２が抵抗Ｒ２１を介してインバータＩＮＶ２及び接地トランジスタのＦＥＴ２１，２２のゲートに印加されるので、インバータＩＮＶ２はロウ出力、ＦＥＴ２１，２２はオフとなる。そして、インバータＩＮＶ２のロウ出力に従って判別トランジスタのＦＥＴ２３はオンになる。
【００４４】
このとき、第１のピンＰ１９は開放状態にあり且つＦＥＴ２１はオフなので、ＦＥＴ２３のドレーンは開放状態となる。従って、電源供給手段３１０では、電源Ｖcc２が抵抗Ｒ２２を介して電源供給トランジスタのＦＥＴ２４のゲートに印加される結果オフし、第３のピンＰ２０による電源Ｖcc２の供給は抑止される。また、電源Ｖcc２が抵抗Ｒ２２を介して入出力制御装置６０へも入力されるので、コンピュータシステムでも拡張用並列ポート１２０に周辺機器が接続されてないことを判断できる。
【００４５】
▲５▼：拡張装置１００が装着され且つ拡張用並列ポート１２０に電源供給の必要な周辺機器が接続された場合。
【００４６】
この場合、拡張用並列ポート１２０の第１のピンＰ１９が周辺機器の接続により接地となり、第２のピンＰ２４は開放状態にある。従って、周辺機器接続判別手段３００では、電源Ｖcc２が抵抗Ｒ２１を介してインバータＩＮＶ２及び接地トランジスタのＦＥＴ２１，２２のゲートに印加されるので、インバータＩＮＶ２はロウ出力、ＦＥＴ２１，２２はオフとなる。そして、インバータＩＮＶ２のロウ出力に従って判別トランジスタのＦＥＴ２３はオンになる。
【００４７】
このとき、第１のピンＰ１９は接地なのでＦＥＴ２３のドレーンが接地される。従って、電源供給手段３１０では、電源Ｖcc２が抵抗Ｒ２２からＦＥＴ２３を介して接地へ流れることになり、その結果、電源供給トランジスタのＦＥＴ２４のゲートがロウ印加になってオンする。これにより、電源Ｖcc２がヒューズＦ２からＦＥＴ２４を通って第３のピンＰ２０に出力され、周辺機器へ動作電源として供給される。また、ＦＥＴ２３の接地により入出力制御装置６０がロウ入力を受けるので、コンピュータシステムで、拡張用並列ポート１２０に電源供給の必要な周辺機器が接続されたことを判断できる。
【００４８】
また、この電源供給の場合に、拡張用並列ポート１２０を介して周辺機器へ過電流が流れるようなことがあると、電源供給トランジスタのＦＥＴ２４に過電流が流れて破損する可能性がある。そこで、本例では、ＦＥＴ２４のドレーン側にヒューズＦ２を設けて保護している。
【００４９】
▲６▼：拡張装置１００が装着され且つ拡張用並列ポート１２０に電源供給の不要な周辺機器が接続された場合。
【００５０】
この場合、拡張用並列ポート１２０の第１のピンＰ１９が開放状態になり、第２のピンＰ２４は周辺機器の接続により接地となる。従って、周辺機器接続判別手段３００では、抵抗Ｒ２１を介した電源Ｖcc２が第２のピンＰ２４により接地へ流れることになり、インバータＩＮＶ２はハイ出力、接地トランジスタのＦＥＴ２１，２２はオンとなる。そして、インバータＩＮＶ２のハイ出力により、判別トランジスタのＦＥＴ２３はオフになる。
【００５１】
ＦＥＴ２３がオフになるため、電源供給手段３１０では電源Ｖcc２が抵抗Ｒ２２を介して電源供給トランジスタのＦＥＴ２４のゲートに印加されてオフし、従って、第３のピンＰ２０の電源供給は抑止される。また、電源Ｖcc２が抵抗Ｒ２２を介して入出力制御装置６０へも入力され、そしてＦＥＴ２１のオンで第１のピンＰ１９が接地とされるので、コンピュータシステムでも拡張用並列ポート１２０の周辺機器が電源供給を要しないことを判断できる。
【００５２】
上記の例で、周辺機器接続判別手段２００，３００、電源供給手段２１０，３１０はワイヤードＯＲ(wired or)で接続されている。また、拡張装置１００を使用しない場合には本体１の並列ポート７０に周辺機器を接続可能であるが、拡張装置１００を装着する場合には、並列ポート７０が拡張装置１００の内側になってしまうので周辺機器を接続することはできず、拡張用並列ポート１２０だけが使用可能である。従って、周辺機器接続判別手段２００と拡張用周辺機器接続判別手段３００、電源供給手段２１０と拡張用電源供給手段３１０は、互いに衝突することなく動作可能である。
【００５３】
本例の構成としたときに、プリンタのように電源供給が不要でありながら第１のピンＰ１９が接地になっている周辺機器を並列ポート７０又は拡張用並列ポート１２０に装着する場合、第２のピンＰ２４よりも第１のピンＰ１９が先に接続されてしまうと、ＦＥＴ１３，１４，２３，２４が一時的に導通状態となって電源Ｖcc１，Ｖcc２がヒューズＦ１，Ｆ２、ＦＥＴ１４，２４及び並列ポート７０，１２０を介し接地へ短絡し、これによる過電流でヒューズＦ１，Ｆ２が切れてしまう誤動作が考えられる。このため一例として、並列ポート７０，１２０の第１のピンＰ１９を第２のピンＰ２４より短くし、第２のピンＰ２４の方が第１のピンＰ１９よりも先に接触する状態としておくとよい。
【００５４】
またプリンタでは、メーカーによって、未使用の１８番ピンから２５番ピンを接地にしてあるもの、或いは１８番ピンから２５番ピンのいずれか１以上のピンを接地にしてないものがある。そこで図１０に示したように、並列ポート７０，１２０の１８番ピンから２５番ピンの中で、１９番ピンＰ１９及び２０番ピンＰ２０以外の２以上のピン、例えば２３番ピンＰ２３及び２４番ピンＰ２４を周辺機器接続判別手段２００，３００内で並列に接続して第２のピンとし、これにより電源供給の不要な周辺機器を検出する構成としておくことができる。
【００５５】
【発明の効果】
本発明によれば、携帯用コンピュータシステム及びその拡張装置の並列ポートを使用する場合に、接続される周辺機器を内部で自動判別し、電源供給が必要な場合には並列ポート内の所定のピンを利用して電源供給するようにしたので、ディンジャックを利用しなければならない従来技術に比べて接続作業が簡単で、また、電源オンの状態でも接続操作できるという利点をもつ。
【図面の簡単な説明】
【図１】ＣＤ−ＲＯＭドライブやＦＤＤをインターフェースコネクタに選択的に接続するコンピュータシステムの斜視図。
【図２】一般的な携帯用コンピュータシステムのブロック図。
【図３】分図Ａは、ＦＤＤを並列ポートに接続した従来のコンピュータシステムの斜視図、分図Ｂは、その並列ポート部分の拡大図。
【図４】携帯用コンピュータシステムとその拡張装置の斜視図。
【図５】本発明に係る周辺機器接続判別手段及び電源供給手段を備えたコンピュータシステムの要部ブロック図。
【図６】本発明に係る周辺機器接続判別手段及び電源供給手段を備えたコンピュータシステム及び拡張装置の要部ブロック。
【図７】分図Ａは、ＦＤＤを並列ポートに接続した本発明のコンピュータシステムの斜視図、分図Ｂは、その並列ポート部分の拡大図。
【図８】コンピュータシステム内の周辺機器接続判別手段及び電源供給手段の具体例を示した回路図。
【図９】コンピュータシステム及び拡張装置内の周辺機器接続判別手段及び電源供給手段の具体例を示した回路図。
【図１０】コンピュータシステム及び拡張装置内の周辺機器接続判別手段及び電源供給手段の他の具体例を示した回路図。
【符号の説明】
１  コンピュータシステムの本体
６０  入出力制御装置
７０，１２０  並列ポート
１００  拡張装置
２００，３００  周辺機器接続判別手段
２１０，３１０  電源供給手段
１１，１２，２１，２２  接地トランジスタ（ＦＥＴ）
１３，２３  判別トランジスタ（ＦＥＴ）
１４，２４  電源供給トランジスタ（ＦＥＴ）
ＩＮＶ１，ＩＮＶ２  インバータ
Ｆ１，Ｆ２  ヒューズ
【図１】
0003682147.tif 000002
【図２】
0003682147.tif 000003
【図３】
0003682147.tif 000004
【図４】
0003682147.tif 000005
【図５】
0003682147.tif 000006
【図６】
0003682147.tif 000007
【図７】
0003682147.tif 000008
【図８】
0003682147.tif 000009
【図９】
0003682147.tif 000010
【図１０】
0003682147.tif 000011